(57)【特許請求の範囲】
【請求項１】
二重化された第１及び第２の監視制御ユニットと、複数の送受信ユニットと、前記第１及び第２の監視制御ユニット及び複数の送受信ユニット間を接続する共通バスとを備え、
前記第１及び第２の監視制御ユニットのそれぞれは、一方が運用系ならば他方は待機系として使用され、上位装置と接続するための上位装置インタフェース手段と、前記共通バスに接続するためのバスインタフェース手段と、自ユニット内を制御し且つ前記上位装置インタフェース手段を介しての送受信信号の処理を行うと共に、運用系の状態となっている場合には自ユニット以外のユニットの状態を前記バスインタフェース手段を介して監視する主処理手段と、
運用系状態の一方の前記監視制御ユニットが何らかの障害によって又は一方の前記監視制御ユニット内のパッケージ交換を含む前記障害以外の何らかの状態変化によって運用系から待機系への系切替わりの要求を待機系状態の他方の前記監視制御ユニットが検出する系切替検出手段と、
前記系切替検出手段によって前記系切替わりの要求を検出すると前記一方の監視制御ユニットを除く全てのユニットに前記共通バスを介して第１のリセット信号の生成を要求する第１のリセット信号生成要求手段と、
前記共通バスを介して他ユニットからの前記第１のリセット信号の生成要求を検出すると前記第１のリセット信号を生成して自ユニット内を初期化する第１のリセット信号生成手段と、
前記系切替検出手段が前記状態変化のみによる系切替要求を検出した場合には前記一方の監視制御ユニットに対して前記第２のリセット信号の生成要求信号を送出する第２のリセット信号生成要求手段と、
前記他方の監視制御ユニットの前記第２のリセット信号生成要求手段からの前記第２のリセット信号の生成要求を受信すると第２のリセット信号を発生して自ユニット内を初期化する第２のリセット信号発生手段とを有することを特徴とするパケット基地局装置。
【請求項２】
二重化された第１及び第２の監視制御ユニットと、複数の送受信ユニットと、前記第１及び第２の監視制御ユニット及び前記複数の送受信ユニット間を接続する共通バスとを備え、
前記第１及び第２の監視制御ユニットのそれぞれは、一方が運用系ならば他方は待機系として使用され、上位装置と接続するための上位装置インタフェース手段と、前記共通バスに接続するためのバスインタフェース手段と、自ユニット内を制御し且つ前記上位装置インタフェース手段を介して送受信信号の処理を行うと共に、運用系の状態となっている場合には自ユニット以外のユニットの状態を前記バスインタフェース手段を介して監視する主処理手段とを備え、
系切替検出手段によって、運用系状態の一方の前記監視ユニットからの前記一方の監視制御ユニット内のパッケージ交換を含む障害以外の何らかの状態変化によって運用系から待機系への系切替わり要求を検出すると、前記バスインタフェース手段から前記共通バスを介して第１のリセット信号生成要求手段によって第１のリセット信号生成要求信号を前記一方の監視制御ユニットを除く全ユニットに送出し、次に、前記一方の監視制御ユニットに対して第２のリセット信号要求手段によって第２のリセット信号の生成要求信号を送出し、この第２のリセット信号の生成要求信号を前記一方の監視制御ユニット内の第２のリセット信号発生手段が受信して前記一方の監視制御ユニット内に前記第２のリセット信号によって初期化中に前記第１のリセット信号を第１のリセット信号生成手段によって生成して自ユニット内を前記一方の監視制御ユニットよりも早く初期化を完了させて起動させることを特徴とするパケット基地局装置の二重化切替時の処理方法。
【請求項３】
二重化された第１及び第２の監視制御ユニットと、複数の送受信ユニットと、前記第１及び第２の監視制御ユニット及び前記複数の送受信ユニット間を接続する共通バスとを備え、
前記第１及び第２の監視制御ユニットのそれぞれは、一方が運用系ならば他方は待機系として使用され、上位装置と接続するための上位装置インタフェース手段と、前記共通バスに接続するためのバスインタフェース手段と、自ユニット内を制御し且つ前記上位装置インタフェース手段を介しての送受信信号の処理を行うと共に、運用系の状態となっている場合には自ユニット以外のユニットの状態を前記バスインタフェース手段を介して監視する主処理手段と、
運用系状態の一方の前記監視制御ユニットが何らかの障害によって又は一方の前記監視制御ユニット内のパッケージ交換を含む前記障害以外の何らかの状態変化によって運用系から待機系への系切替わりの要求を待機系状態の他方の前記監視制御ユニットが検出する系切替検出手段と、
前記系切替検出手段によって前記系切替わりの要求を検出した場合には、前記一方の監視制御ユニットを除く全てのユニットに前記共通バスを介して第１のリセット信号の生成を要求し、前記系切替検出手段が前記状態変化のみによる系切替わり要求を検出した場合には、前記一方の監視制御ユニットを除く全てのユニットに前記共通バスを介して前記第１のリセット信号の生成を要求した後に、前記共通バスを介して前記一方の監視ユニットに対し第２のリセット信号の生成要求をするリセット信号生成要求手段と、
前記共通バスを介して他ユニットから、前記第１のリセット信号の生成要求を受信すると前記第１のリセット信号を生成し、前記第２のリセット信号の生成要求を受信すると前記第２のリセット信号を生成して自ユニット内を初期化するリセット信号発生手段とを有することを特徴とするパケット基地局装置。
【請求項４】
前記第１のリセット信号は予め定められた第１の時間幅を持った信号であり、前記第２のリセット信号は前記第１の時間幅よりも広い予め定められた第２の時間幅を持った信号であることを特徴とする請求項１または３記載のパケット基地局装置。
【請求項５】
前記複数の送受信ユニットのそれぞれは、前記共通バスに接続して、前記第１のリセット信号生成手段と同等の機能を持ったリセット信号生成手段を有することを特徴とする請求項１または３記載のパケット基地局装置。
【請求項６】
前記第１のリセット信号は予め定められた第１の時間幅を持った信号であり、前記第２のリセット信号は前記第１の時間幅よりも広い予め定められた第２の時間幅を持った信号であることを特徴とする請求項２記載のパケット基地局装置の二重化切替時の処理方法。
【請求項７】
前記複数の送受信ユニットのそれぞれは、前記共通バスに接続して、前記第１のリセット信号生成手段と同等の機能を持ったリセット信号生成手段を有することを特徴とする請求項２記載のパケット基地局装置の二重化切替時の処理方法。
【発明の詳細な説明】
【０００１】
【発明の属する技術分野】
本発明はパケット基地局装置とその二重化切替時の処理方法に関し、特に移動通信システムに用いられ状態の監視を行う監視制御部が二重化されたパケット基地局装置とその二重化切替時の処理方法に関する。
【０００２】
【従来の技術】
この種の従来の技術について図面を参照して説明する。
【０００３】
図７は従来の監視制御装置の一例を示すブロック図である。
【０００４】
図７において、この従来例の監視制御装置は、特開平１０−１７３５８７号公報の開示内容を示し、バスインタフェースパネルＢＩＮＴ１５−１が障害を起こすと、中央制御パネルＣＰ１１−１に通報信号が送られ、認識されると、中央制御パネルＣＰ１１−１は、前パネルの制御をバスインタフェースパネルＢＩＮＴ１５−２へ切り替える。バスインタフェースパネルＢＩＮＴ１５−２は、ＲＡＭに記憶されているデータの代わりに、予備系エリアに記憶されている各シェルフのスロットの状態情報を用い、システムの監視・制御を継続する。バスインタフェースパネルＢＩＮＴ１５−１は、待機系となる。予備系エリアとＲＡＭの領域のアドレスとが、ダイナミックに切り替えられる。バスインタフェースパネルＢＩＮＴ１５−１のローカルメモリ１５ａ−１とバスインタフェースパネルＢＩＮＴ１５−２のローカルメモリ１５ａ−２とは、状態情報データを記憶するメモリ領域を共有している。
【０００５】
【発明が解決しようとする課題】
この従来例においては、運用系パネルに何らかの障害が発生し、即座に代行監視を行うために、運用系および予備系のメモリに記憶されているデータが常に同一で最新の内容になるように、第一及び第二の監視パネルによって各メモリを制御する構成になっているので、正常時及び障害時の処理が複雑であるという問題点である。
【０００６】
（発明の目的）
本発明は、装置の構成及び障害等における二重化切替時の処理を簡素化するために、共通メモリをなくしたパケット基地局装置とその二重化切替時の処理方法を提供することを目的とする。
【０００７】
【課題を解決するための手段】
本発明のパケット基地局装置は、二重化された第１及び第２の監視制御ユニットと、複数の送受信ユニットと、前記第１及び第２の監視制御ユニット及び複数の送受信ユニット間を接続する共通バスとを備え、
前記第１及び第２の監視制御ユニットのそれぞれは、一方が運用系ならば他方は待機系として使用され、上位装置と接続するための上位装置インタフェース手段と、前記共通バスに接続するためのバスインタフェース手段と、自ユニット内を制御し且つ前記上位装置インタフェース手段を介しての送受信信号の処理を行うと共に、運用系の状態となっている場合には自ユニット以外のユニットの状態を前記バスインタフェース手段を介して監視する主処理手段と、
運用系状態の一方の前記監視制御ユニットが何らかの障害によって又は一方の前記監視制御ユニット内のパッケージ交換を含む前記障害以外の何らかの状態変化によって運用系から待機系への系切替わりの要求を待機系状態の他方の前記監視制御ユニットが検出する系切替検出手段と、
前記系切替検出手段によって前記系切替わりの要求を検出すると前記一方の監視制御ユニットを除く全てのユニットに前記共通バスを介して第１のリセット信号の生成を要求する第１のリセット信号生成要求手段と、
前記共通バスを介して他ユニットからの前記第１のリセット信号の生成要求を検出すると前記第１のリセット信号を生成して自ユニット内を初期化する第１のリセット信号生成手段と、
前記系切替検出手段が前記状態変化のみによる系切替要求を検出した場合には前記一方の監視制御ユニットに対して前記第２のリセット信号の生成要求信号を送出する第２のリセット信号生成要求手段と、
前記他方の監視制御ユニットの前記第２のリセット信号生成要求手段からの前記第２のリセット信号の生成要求を受信すると第２のリセット信号を発生して自ユニット内を初期化する第２のリセット信号発生手段とを有し、前記第１のリセット信号は予め定められた第１の時間幅を持った信号であり、前記第２のリセット信号は前記第１の時間幅よりも広い予め定められた第２の時間幅を持った信号であり、前記複数の送受信ユニットのそれぞれは、前記共通バスに接続して、前記第１のリセット信号生成手段と同等の機能を持ったリセット信号生成手段を有している。
【０００８】
本発明のパケット基地局装置の二重化切替時の処理方法は、二重化された第１及び第２の監視制御ユニットと、複数の送受信ユニットと、前記第１及び第２の監視制御ユニット及び前記複数の送受信ユニット間を接続する共通バスとを備え、
前記第１及び第２の監視制御ユニットのそれぞれは、一方が運用系ならば他方は待機系として使用され、上位装置と接続するための上位装置インタフェース手段と、前記共通バスに接続するためのバスインタフェース手段と、自ユニット内を制御し且つ前記上位装置インタフェース手段を介して送受信信号の処理を行うと共に、運用系の状態となっている場合には自ユニット以外のユニットの状態を前記バスインタフェース手段を介して監視する主処理手段とを備え、
系切替検出手段によって、運用系状態の一方の前記監視制御ユニットからの前記一方の監視制御ユニット内のパッケージ交換を含む障害以外の何らかの状態変化によって運用系から待機系への系切替わり要求を検出すると、前記バスインタフェース手段から前記共通バスを介して第１のリセット信号生成要求手段によって第１のリセット信号生成要求信号を前記一方の監視制御ユニットを除く全ユニットに送出し、次に、前記一方の監視制御ユニットに対して第２のリセット信号要求手段によって第２のリセット信号の生成要求信号を送出し、この第２のリセット信号の生成要求信号を前記一方の監視制御ユニット内の第２のリセット信号発生手段が受信して前記一方の監視制御ユニット内に前記第２のリセット信号によって初期化中に前記第１のリセット信号を第１のリセット信号生成手段によって生成して自ユニット内を前記一方の監視制御ユニットよりも早く初期化を完了させて起動させ、前記第１のリセット信号は予め定められた第１の時間幅を持った信号であり、前記第２のリセット信号は前記第１の時間幅よりも広い予め定められた第２の時間幅を持った信号であり、前記複数の送受信ユニットのそれぞれは、前記共通バスに接続して、前記第１のリセット信号生成手段と同等の機能を持ったリセット信号生成手段を有している。
【０００９】
本発明のパケット基地局装置は、二重化された第１及び第２の監視制御ユニットと、複数の送受信ユニットと、前記第１及び第２の監視制御ユニット及び前記複数の送受信ユニット間を接続する共通バスとを備え、
前記第１及び第２の監視制御ユニットのそれぞれは、一方が運用系ならば他方は待機系として使用され、上位装置と接続するための上位装置インタフェース手段と、前記共通バスに接続するためのバスインタフェース手段と、自ユニット内を制御し且つ前記上位装置インタフェース手段を介しての送受信信号の処理を行うと共に、運用系の状態となっている場合には自ユニット以外のユニットの状態を前記バスインタフェース手段を介して監視する主処理手段と、
運用系状態の一方の前記監視制御ユニットが何らかの障害によって又は一方の前記監視制御ユニット内のパッケージ交換を含む前記障害以外の何らかの状態変化によって運用系から待機系への系切替わりの要求を待機系状態の他方の前記監視制御ユニットが検出する系切替検出手段と、
前記系切替検出手段によって前記系切替わりの要求を検出した場合には、前記一方の監視制御ユニットを除く全てのユニットに前記共通バスを介して第１のリセット信号の生成を要求し、前記系切替検出手段が前記状態変化のみによる系切替わり要求を検出した場合には、前記一方の監視制御ユニットを除く全てのユニットに前記共通バスを介して前記第１のリセット信号の生成を要求した後に、前記共通バスを介して前記第１のリセット信号の生成を要求した後に、前記共通バスを介して前記一方の監視ユニットに対し第２のリセット信号の生成要求をするリセット信号生成要求手段と、
前記共通バスを介して他ユニットから、前記第１のリセット信号の生成要求を受信すると前記第１のリセット信号を生成し、前記第２のリセット信号の生成要求を受信すると前記第２のリセット信号を生成して自ユニット内を初期化するリセット信号発生手段とを有し、前記第１のリセット信号は予め定められた第１の時間幅を持った信号であり、前記第２のリセット信号は前記第１の時間幅よりも広い予め定められた第２の時間幅を持った信号であり、前記複数の送受信ユニットのそれぞれは、前記共通バスに接続して、前記第１のリセット信号生成手段と同等の機能を持ったリセット信号生成手段を有している。
【００１０】
【発明の実施の形態】
次に、本発明について図面を参照して説明する。
【００１１】
図１は本発明の第１の実施の形態のパケット基地局装置を示すブロック図である。
【００１２】
図１において、本第１の実施の形態のパケット基地局装置２は、二重化された監視制御ユニット２１及び監視制御ユニット２２と、送受信ユニット２３〜２８と、これらのユニットを接続する共通バス１１０と監視制御ユニット２１と監視制御ユニット２２とは全く同じ構成であり、現用／予備構成で使用する。
【００１３】
次に、監視制御ユニット２１の内部構成の説明を行うが、両者は全く同じ構成であるため、監視制御ユニット２２の内部構成の説明は省略する。
【００１４】
監視制御ユニット２１は、バスアクセス部１１１と、リセット検出部１１２と、主処理部１１３と、上位装置Ｉ／Ｆ部１１４と、ユニット内バス１１５と、上位装置Ｉ／Ｆ部用バス１１６と、他系リセット生成部１１７と、他系リセット検出部１１８とを有する。
【００１５】
バスアクセス部１１１は、監視制御ユニット２１がバスマスタ（ＡＣＴ；現用系）として動作する場合、共通バス１１０を介してパケット基地局装置２内の各機能ユニットをアクセスするためのバス調停やタイミング調整を行う。また、バススレーブ（ＳＴＢＹ；予備系）として動作する場合、監視制御ユニット２１（自系）あるいは、監視制御ユニット２２（他系）バスアクセスに対して応答し、バスサイクルを正常終了させる。さらに、自ユニット状態の情報を管理していて、監視制御ユニット２１または監視制御ユニット２２から共通バス１１０を介して読み出されたときに、自ユニット状態の最新情報を返す。
【００１６】
リセット検出部１１２は、監視制御ユニット２１が、共通バス１１０を介して出力したりリセットオーダーを検出し監視制御ユニット２１内のリセットに０．２秒のリセット信号を生成する。
【００１７】
主処理部１３は、プロセッサである。あらかじめ組み込まれたプログラムにより共通制御機能、つまりパケット基地局装置２全体の監視や上位装置からのコマンド処理といった機能を実行する。
【００１８】
上位装置装置Ｉ／Ｆ部１１４は、主処理部１１３と上位装置（基地局制御装置）との間に位置し、両者の信号を中継する。ユニット内バス１１５は、監視制御ユニット２１の中で使用するバスである。上位装置Ｉ／Ｆ部用バス１１６は、主処理部１１３と上位装置Ｉ／Ｆ部１１４との間にあるバスで、主処理部１１３と上位装置Ｉ／Ｆ部１１４との通信のために使用する。
【００１９】
他系リセット生成部１１７は、出力ポートである。主処理部１１３からユニット内バス１１５を介して設定されると他系監視制御ユニット２２をリセットするための他系リセット信号を出力する。他系リセット検出部１１８は、監視制御ユニット２２からの他系リセット信号を検出し、監視制御ユニット２１内に１０秒間のリセット信号を生成する。
【００２０】
ここで、他系リセット生成部１１７の出力は、他系リセット検出部２２８へ、他系リセット生成部２２７の出力は、他系リセット検出部１１８へそれぞれ接続されている。
【００２１】
送受信ユニット２３から２８は、パケット基地局装置２の本来の機能を実現するユニットである。送受信ユニット２３〜２８は、それぞれ全く同じ構成である。内部構成についての説明は送受信ユニット２３についてのみ行い、送受信ユニット２４〜２８の内部構成の説明は省略する。
【００２２】
送受信ユニット２３は、リセット検出部３１と、バスＩ／Ｆ部３２と、主処理部３３と、送受信処理部３４と、ユニット内バス３５と、送受信処理部用バス３６とを有する。
【００２３】
リセット検出部３１は、監視制御ユニット２１あるいは監視制御ユニット２２が、共通バス１１０を介して出力したりリセットオーダーを検出し、送受信ユニット２３内のリセットに０．２秒のリセット信号を生成する。バスＩ／Ｆ部３２は、監視制御ユニット２１あるいは監視制御ユニット２２のバスアクセスに対して応答し、バスサイクルを正常終了させる。さらに、自送受信ユニット２３状態の状態を管理していて、監視制御ユニット２１または監視制御ユニット２２から共通バス１１０を介して読み出されたときに、自送受信ユニット状態の最新情報を返す。主処理部３３は、プロセッサで、あらかじめ組み込まれたプログラムにより送受信ユニット機能を実現する。送受信処理部３４は、信号送受信のための演算や変復調を行う。ユニット内バス３５は、送受信ユニット２３内で使用するバスである。送受信処理部用バス３６は、主処理部３３と送受信処理部３４との通信において使用するバスである。
【００２４】
送受信ユニット２８内のリセット検出部８１，バスＩ／Ｆ部８２，主処理部８３，送受信処理部８４は、送受信ユニット２３内のものと同じなので説明を省略する。
【００２５】
図２は本第１の実施の形態のパケット基地局装置における監視制御ユニット内の主処理部の内部構成を示すブロック図である。
【００２６】
図２において、本第１の実施の形態のパケット基地局装置２における監視制御ユニット２１，２２内の主処理部１１３，２２３には、（以下主処理部１１３の場合のみついて説明し、主処理部２２３は同一の構成なので説明を省略する。）監視制御ユニット２１を制御するプログラムおよびパケット基地局装置２内の全ての状態を記憶しているテーブルを格納しているメモリ１１３２と、監視制御ユニット２１内の各主機能部（例えばクロック発生部）の障害検出回路からの検出信号を受信し、障害の場合には障害信号Ｃを“０”から“１”にまた自ユニットがＳＴＢＹ状態になれば信号Ａを“０”に信号Ｂを“１”にして主処理部２２３へ出力し、また主処理部２２３から信号Ａ，信号Ｂおよび信号Ｃに対応する監視制御ユニット２２の状態信号である信号ａ，信号ｂおよび信号ｃを受信するＩ／Ｏポート１１３３と、メモリ１１３２内のプログラム、テーブルおよびＩ／Ｏポート１１３３からの情報の基に監視制御ユニット２１内を制御・処理するＣＰＵ１１３１とを有している。
【００２７】
また、Ｉ／Ｏポート１１３３はユニット内バス２１１６及び上位装置Ｉ／Ｆ部用バス１１６にも接続し、ＣＰＵ１１３１はＩ／Ｏポート１１３３を介してこれらのバスからの信号を監視し、処理を行う。
【００２８】
図３は本第１の実施の形態のパケット基地局装置が適用する移動通信システムの構成例を示すシステム構成図、図４は本第１の実施の形態のパケット基地局装置が障害になった場合又は二重化の切替の場合の処理手順を示すシーケンス図、図５は本第１の実施の形態のパケット基地局装置が障害になってＳＴＢＹからＡＣＴに切替える場合の内部処理の手順を示すフローチャートである。
【００２９】
次に、本第１の実施の形態はパケット基地局装置の障害になった場合の動作について図１〜図６を参照して説明する。
【００３０】
図３において、図１に示す本第１の実施の形態のパケット基地局装置２は、パケット基地局装置２−１，２−２〜２−ｎとして示され、パケット基地局装置２−１，２−２〜２−ｎはそれぞれパケット基地局装置２と同じ構成を有し、移動通信回線４を介して基地局制御装置１に接続され、基地局制御装置１１は交換局回線３を介して交換局（図示省略）に接続されている。
【００３１】
図４において、パケット基地局装置２−１が正常に動作している状態では、パケット基地局２−１の監視制御ユニット２１は上位装置Ｉ／Ｆ部１１４によって移動通信回線４を介して基地局制御装置１に接続されて運用されている。
【００３２】
また、この状態のときには、ＡＣＴ状態の監視制御ユニット２１の主処理部１１３は、メモリ１１３２のテーブルには基地局制御装置１からリング確立時の起動パラメータおよびパケット基地局装置２−１内のパネルデータが記憶されてあり、Ｉ／Ｏポート１１３３からは主処理部２２３に対して、自ユニット２１がＡＣＴであることを示す“１”の信号Ａ、他ユニット２２がＳＴＢＹであることを示す“０”の信号Ｂ、障害がないことを示した“０”の信号Ｃを送出し、主処理部２２３からは、信号Ａ，ＢおよびＣに対応する信号ａが“０”、信号ｂが“１”、信号ｃが“０”として受信している。
【００３３】
次に、主処理部１１３のＣＰＵ１１３１がＩ／Ｏポート１１３３を介して監視制御ユニット２１の内の障害（例えばクロックの停止等）を検出すると、Ｉ／Ｏポート１１３３から主処理部２２３へ信号Ａを“０”，信号Ｂを“１”信号Ｃを“１”にして送出する。
【００３４】
この結果、監視制御ユニット２２は、図５に示すように、ＳＴＢＹからＡＣＴに切替り（Ｓ１）、Ｉ／Ｏポート１１３３からの信号Ｃの“１”の受信によって（Ｓ２）、主処理部２２３は障害となった監視制御ユニット２１を除いて基地局装置２−１内の全てのユニットに対して、バスアクセス部２２１から共通バス１１０を介して０．２秒幅のリセット信号を送出し、パケット基地局装置２−１内の障害の監視制御ユニット２１を除く全てのユニットをリセットする。
【００３５】
次に、監視制御ユニット２２のＣＰＵ２２３１は再起動するが、基地局制御装置１とパケット基地局装置２−１とのリンクが切れ、基地局制御装置１からの信号に対してパケット基地局装置２−１は応答を返ることができなかっため（タイムオーバー）、基地局制御装置１はパケット基地局装置２−１がダウンしたものとして検出します。
【００３６】
次に、パケット基地局装置２−１の監視制御ユニット２２の主処理部２２３はリセットを解除し、上位装置Ｉ／Ｆ部２２４を介して基地局制御装置１とのリンク接続要求を行い、それに対する基地局制御装置１からのリンク接続応答を受信することによって、初めてパケット基地局装置２−１と基地局制御装置１とのリンクが確定される。
【００３７】
次に、基地局制御装置１から予め定められた起動パラメータが送信されてくると、ＡＣＴ状態になっている監視制御ユニット２２内の主処理部２２３は、上位装置Ｉ／Ｆ部２２４を介して受信した起動パラメータをメモリ２２３２に記憶し、受信した起動パラメータの基に、バスアクセス部２２１から共通バス１１０を介して送受信ユニット２３〜２８を設定し、基地局制御信号１に対してＡＣＫ信号を返送する。
【００３８】
この結果、監視制御ユニット２２は基地局制御装置１から運用開始の許可信号を受信すると、ＡＣＫ信号を返信し、パケット基地局装置２−１は監視制御ユニット１２２の制御の基に運用が開始される。
【００３９】
尚、障害になっている監視制御ユニット２１はリセットされていないため状態が保存されているため、障害の原因を調査することができる。
【００４０】
次に、監視制御ユニット２１内で、パッケージの交換や、新規パッケージの実装が行われる場合には、主処理部１１３のＣＰＵ１１３１はＩ／Ｏポート１１３３を介して、これらの状態変化を検知し、障害のＡＬＭではないとして系切替の処理を行う。
【００４１】
即ち、この場合、Ｉ／Ｏポート１１３３から主処理部２２３に対して“０”の信号Ａ，“１”の信号Ｂ，“０”の信号Ｃを送出する。
【００４２】
監視制御ユニット２２側では、自ユニット内の主処理部２２３が主処理部１１３からの信号Ａ，信号Ｂおよび信号Ｃに対応する信号ａ，信号ｂ，信号ｃをＩ／Ｏポート２２３３を介して受信すると（図５のＳ１）、信号Ｃが“０”であることから、監視制御ユニット２１は障害（ＡＬＭ）でないと検知し（図５のＳ２）、主処理部２２３は障害（ＡＬＭ）を検知した場合の信号経路で、監視制御ユニット２１及び自己の監視制御ユニット２２を除く全ユニットに０．２秒のリセット信号を送出させて全ユニット内をリセットさせ、次に他系リセット生成部２２７から他系リセット検出部１１８へ他系リセット信号を送出する。
【００４３】
監視制御ユニット２１の他系リセット検出部１１８は他系リセット生成部２２７からの他系リセット信号を検出すると１０秒の他系リセット信号を発生して監視ユニット２１内をリセットする。
【００４４】
また、監視制御ユニット２２は監視制御ユニットへ他系リセット信号を送出の後に、自己のユニット２２内に対してリセット検出部２２２からの０．２秒のリセット信号によってリセットさせる（図５のＳ４）。
【００４５】
この監視制御ユニット２１へ１０秒の他系リセットをかける理由は、基地局制御装置１からのコマンドにより監視制御ユニット２１を運用系として動作させたいためで、リセット後も監視制御ユニット２２が監視制御ユニット２１よりも先に立ち上がる必要があるためである。このような場合では、監視制御かユニット２２が、監視制御ユニット２１へリセットをかける立場であり、リセットをかける順番は、監視制御ユニット２１，次に監視制御ユニット２２となる。一方、リセット解除して起動する順番は、監視制御ユニット２２，次に監視制御ユニット２１となる必要があり、そのために、通常の０．２秒のリセット信号とは別に、リセット時間が長い１０秒の他系リセット信号を使用する。
【００４６】
尚、この場合でのリセット解除後の監視制御ユニット２２が基地局制御装置１に対するリンク接続要求以降のシーケンスは、図４に示した障害（ＡＬＭ）が発生した場合であるので、説明を省略する。
【００４７】
図６は本発明の第２の実施の形態のパケット基地局装置を示すブロック図である。
【００４８】
図６において、本第２の実施の形態のパケット基地局装置２ａは、図１に示す第１の実施の形態と次の点において異なっている。
【００４９】
即ち、本第２の実施の形態のパケット基地局２ａにおいては、第１の実施の形態におけるパケット基地局装置２における監視制御ユニット２１，２２に対して、監視制御ユニット２１ａ，２２ａを有し、送受信ユニット２３，２８は、第１及び第２の実施の形態の場合のパケット基地局２，２ａと共に同じ構成になっている。
【００５０】
本第２の実施の形態のパケット基地局装置２ａにおける監視制御ユニット２１ａ，２２ａは、第１の実施の形態の場合の監視制御ユニット２１，２２と異なり他系リセット生成部１１７，２２７および他系リセット検出部１１８，２２８を有さない構成になっており、バスアクセス部１１１，２２１，上位装置Ｉ／Ｆ部１１４，２２４を第１及び第２の両実施の形態の場合も有して同じ機能を有している。
【００５１】
しかしながら、第２の実施の形態のパケット基地局装置２ａが有するリセット検出部１１２ａ，２２ａは、リセット検出部１１２，２２２ａと異なり、０．２秒の通常のリセット信号のみならず１０秒の他系リセット信号を生成する機能を有している。
【００５２】
また第２の実施の形態のパケット基地局装置２ａが有する主処理部１１３ａ，２２３ａは、図２に示す第１の実施の形態の場合の主処理部１１３，２２３と同じ構成を有しているが、第２の実施の形態の場合におけるメモリ１１３２，２２３２は、他系リセット生成部１１７，２２７，他系リセット検出部１１８，２２８を有しない構成で、リセット検出部１１２ａ，２２２ａで他系リセット信号を生成してリセット制御するため、その制御プログラムが第１の実施の形態の場合と異なって格納されている。
【００５３】
次に、本第２の実施の形態のパケット基地局装置２ａが適用される移動通信システムは、第１の実施の形態の場合と同様に、図３に示されてある。この場合にパケット基地局装置２−１，２−２〜２−ｎの代わりにパケット基地局装置２ａ−１，２ａ−２〜２ａ−ｎと置き換えて考える。
【００５４】
次に、本第２の実施の形態のパケット基地局装置の障害等によるＳＴＢＹからＡＣＴに切替える動作について説明する。
【００５５】
この、第２の実施の形態の場合の障害等によるＳＴＢＹからＡＣＴへの切替えの動作は、第１の実施の形態の場合の説明に利用した図４，図５を適用することが可能で、第１の実施の形態の場合と異なる主な点は特に、他系リセット信号の生成による切替え処理の方法であるので、この点に関連するのみについて以下に説明する。
【００５６】
まず、主処理部２２３ａが、図２に示す構成によって、主処理部１１３ａから障害（ＡＬＭ）を検出した場合には（図５のＳ１，Ｓ２）バスアクセス部２２１から共通バス１１０を経由して、リセット検出部３１，８１へ各ユニットアドレスと共に０．２秒の通常のリセット信号を生成させる予め定められた第１のコマンドを出力させる。
【００５７】
最後に自ユニット２２ａのリセット検出部２２２ａへ第１のコマンドを送りリセットさせる。この結果、監視制御ユニット２１ａはＡＬＭ状態が保存され、他のユニット２２ａ，２３，２８はリセットされる。
【００５８】
また、第１の実施の形態の場合と同様に障害（ＡＬＭ）以外で、主処理部２２３ａがＳＴＢＹからＡＣＴを検出した場合には、バスアクセス部２２１から共通バスを介して、リセット検出部３１，８１へ各ユニットアドレスと共に０．２秒の通常のリセット信号を生成させる予め定められた第１のコマンドを出力させ、次に、監視制御ユニット２１ａのアドレスと共に１０秒の他系リセット信号を生成させるための第２のコマンドを出力させ、最後に自ユニット２２ａのリセット検出部２２２ａへ第１のコマンドを送りリセットさせる。
【００５９】
このように、リセット信号を送出して、リセット解除後の、監視制御ユニット２２ａが基地局制御装置１へリンク接続要求以降の動作は第１の実施の形態の場合と同一なので、説明を省略する。
【００６０】
以上説明したように、本発明の第１及び第２の実施の形態のパケット基地局装置２及び２ａは、監視制御ユニット２１，２２及び２１ａ，２２ａと二重化されていても、従来例のように共通メモリ、ローカルメモリを二重化して有しておらず、主処理部１１３，２２３及び１１３ａ，２２３ａ内のメモリのみに運用状態等の情報を記憶し、監視制御ユニット２１及び２１ａが障害等によってＡＣＴからＳＴＢＹに監視制御ユニット２２及び２２ａがＳＴＢＹからＡＣＴへの切替える場合に、監視制御ユニット２２及び２２ａ側の主処理部２２３，及び２２３ａが０．２秒のリセット信号及び１０秒のリセット信号を発生させて、パケット基地局装置２及び２ａを初期化した後、新規に運用状態等の情報を基地局制御装置１から取得してメモリ２２３２に記憶する処理方法となっているので、従来例のように共通メモリやローカルメモリを必要とせず、パケット基地局装置２及び２ａの構成を従来より簡素化することができる。
【００６１】
また、共通メモリやローカルを必要としないことにより、これによって派生するＳＴＢＹからＡＣＴ，及びＡＣＴからＳＴＢＹへの切替え時のメモリ間のデータ転送処理やメモリ管理が不必要となり、全体としてソフトウェアの構成を従来よりも簡素化することが可能である。
【００６２】
【発明の効果】
以上説明したように本発明は、二重化された第１及び第２の監視制御ユニットと、複数の送受信ユニットと、第１及び第２の監視制御ユニット及び複数の送受信ユニット間を接続する共通バスとを備え、第１及び第２の監視制御ユニットのそれぞれは、一方が運用系ならば他方は待機系として使用され、上位装置と接続するための上位装置インタフェース手段と、共通バスに接続するためのバスインタフェース手段と、自ユニット内を制御し且つ上位装置インタフェース手段を介しての送受信信号の処理を行うと共に、運用系の状態となっている場合には自ユニット以外のユニットの状態を前記バスインタフェース手段を介して監視する運用系状態の一方の監視制御ユニットが何らかの障害によって又は一方の監視制御ユニット内のパッケージ交換を含む前記障害以外の何らかの状態変化によって運用系から待機系への系切替りの要求を待機系状態の他方の監視制御ユニットが検出する系切替検出手段と、系切替検出手段によって系切替りの要求を検出する一方の監視制御ユニットを除く全てのユニットに共通バスを介して第１のリセット信号の生成を要求する第１のリセット信号生成要求手段と、共通バスを介して他ユニットからの第１のリセット信号の生成要求を検出すると第１のリセット信号を生成して自ユニット内を初期化する第１のリセット信号生成手段と、系切替検出手段の前記状態変化のみによる系切替り要求を検出した場合には一方の監視制御ユニットに対して第２のリセット信号の生成要求信号を送出する第２のリセット信号生成要求手段と、他方の監視制御ユニットの第２のリセット信号生成要求手段からの第２のリセット信号の生成要求を受信すると第２のリセット信号を発生して自ユニット内を初期化する第２のリセット信号発生手段とを有することにより、
従来のように共通メモリを無くした構成になっているので、監視制御ユニットが二重化になっていても、従来例のように共通メモリを必要としない構成となり、装置全体を簡素化することができる効果がある。
【００６３】
また、共通メモリのない構成にすることにより、二重化切替時の装置全体の制御プログラムを簡素化することができる効果がある。
【図面の簡単な説明】
【図１】本発明の第１の実施の形態のパケット基地局装置を示すブロック図である。
【図２】図１に示す本第１の実施の形態のパケット基地局装置における監視制御ユニット内の主処理部の内部構成を示すブロック図である。
【図３】本第１の実施の形態のパケット基地局装置が適用する移動通信システムの構成例を示すシステム構成図である。
【図４】本第１の実施の形態のパケット基地局装置が障害がなくなった場合又は二重化の切替の場合の処理手順を示すシーケンス図である。
【図５】本第１の実施の形態のパケット基地局装置が障害になって又は二重化の切替えによってＳＴＢＹからＡＣＴに切替える場合の内部処理の手順を示すフローチャートである。
【図６】本発明の第２の実施の形態のパケット基地局装置を示すブロック図である。
【図７】従来の監視制御装置の一例を示すブロック図である。
【符号の説明】
１    基地局制御装置
２，２ａ，２−１，２−２〜２−ｎ    パケット基地局装置
２１，２１ａ，２２，２２ａ    監視制御ユニット
２３，２８    送受信ユニット
３１，８１    リセット検出部
３２，８２    バスＩ／Ｆ部
３３，８３    主処理部
３４，８４    送受信処理部
１１１，２２１，    バスアクセス部
１１２，１１２ａ，２２２，２２２ａ    リセット検出部
１１３，１１３ａ，２２３，２２３ａ    主処理部
１１４，２２４    上位装置Ｉ／Ｆ部
１１７，２２７    他系リセット生成部
１１８，２２８    他系リセット検出部
１１３，１１３ａ，２２３，２２３ａ    主処理部
１１３１，２２３１    ＣＰＵ
１１３２，２２３２    メモリ
１１３３，２２３３    Ｉ／Ｏポート
【図１】
0003724386.tif 000002
【図２】
0003724386.tif 000003
【図３】
0003724386.tif 000004
【図４】
0003724386.tif 000005
【図５】
0003724386.tif 000006
【図６】
0003724386.tif 000007
【図７】
0003724386.tif 000008